(57)【要約】【課題】パッキングを使用する場合と同じかそれ以上の水密性を付与する。【解決手段】他方パネル５の取付孔に挿入される胴部２０及び胴部上周囲に設けられて他方パネルに当たって取付孔に対する胴部の挿入量を規制するシール兼用フランジ部２１を有した雌部材２と、一方パネル４の係止部４ａに係合可能な頭部１０を有した雄部材１とからなり、軸部を胴部内に挿入し胴部下端から突出して抜け止め係止した状態で胴部２０の一部を拡開して雌部材の取付孔５ａからの抜けを防ぐクリップにおいて、雄部材１は軸部上周囲に突出されてフランジ部２１を外側から覆う大きさのシール用外吸盤部１７、外吸盤部内面に突出されてフランジ部より小さいシール用内吸盤部１８を備え、軸部が胴部に抜け止め係止された使用状態でフランジ部及び外吸盤部が他方パネルに圧接し、かつ、内吸盤部がフランジ部２１に圧接してそのフランジ部を下向きに押圧するようにした。【選択図】図１
2011089538.tif 000002
【特許請求の範囲】
【請求項１】
一方パネルを他方パネルに連結したり固定する場合に用いられて、前記他方パネルに穿設された取付孔に挿入される筒状胴部及び前記胴部の上端周囲に設けられて前記他方パネルに当たって前記取付孔に対する胴部の挿入量を規制するシール兼用のフランジ部を有した雌部材と、前記一方パネルに設けられた係止部に係合可能な頭部を有した雄部材とからなり、前記雄部材の軸部を前記胴部内に挿入し胴部下端から突出して抜け止め係止した状態で、前記胴部の一部を拡開して前記雌部材の前記取付孔からの抜けを防ぐクリップにおいて、
前記雄部材は、前記軸部の上側周囲に突出されて前記フランジ部を外側から覆う大きさのシール用の外吸盤部と、前記外吸盤部の内面に突出されて前記フランジ部より小さいシール用の内吸盤部とを備え、
前記軸部が前記胴部に抜け止め係止された使用状態で、前記フランジ部及び前記外吸盤部が前記他方パネルにそれぞれ圧接し、かつ、前記内吸盤部が前記フランジ部に圧接してそのフランジ部を下向きに押圧することを特徴とするクリップ。
【請求項２】
一方パネルを他方パネルに連結したり固定する場合に用いられて、前記他方パネルに穿設された取付孔に挿入される筒状胴部及び前記胴部の上端周囲に設けられて前記他方パネルに当たって前記取付孔に対する胴部の挿入量を規制するシール兼用のフランジ部を有した雌部材と、前記一方パネルに設けられた係止部に係合可能な頭部を有した雄部材とからなり、前記雄部材の軸部を前記胴部内に挿入し胴部下端から突出して抜け止め係止した状態で、前記胴部の一部を拡開して前記雌部材の前記取付孔からの抜けを防ぐクリップにおいて、
前記雄部材は、前記軸部の上側周囲に突出されて前記フランジ部を外側から覆う大きさのシール用の外吸盤部と、前記外吸盤部の内面に突出されて前記フランジ部より大きいシール用の内吸盤部とを備え、
前記外吸盤部及び前記内吸盤部並びに前記フランジ部は、前記軸部が前記胴部に抜け止め係止された使用状態で、前記取付孔を中心とした同芯円状に配置され、かつ、前記他方のパネルにそれぞれ圧接することを特徴とするクリップ。
【請求項３】
前記雄部材は、前記軸部が前記胴部に抜け止め係止された使用状態で、前記雌部材の胴部の開口上縁部に重ねられるシール用の径大部を有していることを特徴とする請求項１又は２に記載のクリップ。
【発明の詳細な説明】
【技術分野】
【０００１】
本発明は、クリップのうち、特に雄部材及び雌部材からなるクリップに関する。
【背景技術】
【０００２】
図６（ａ）は特許文献１と２に挙げられている従来クリップを示している。この構造において、雄部材１０９は、パネル１１１に設けられた係止部１１２に係止可能な頭部１１３と、軸部１１５の上側周囲に突出された鍔状部１１４と、軸部１１５の先端に設けられた係合膨出部１１５ａとを有し、パネル１１１の係止部１１２に頭部１１３を介して取り付けられる。これに対し、雌部材１１０は、パネル１０１の取付孔１０２に挿入係止される筒状の胴部１１７と、胴部１１７の挿入量を規制するフランジ部１１８と、胴部１１７の先端部分に設けられて弾性変形を容易にする複数のスリット１１９とを有し、パネル１０１に対しフランジ部１１８が当接するまで胴部１１７を取付孔１０２に挿入することで取り付けられる。そして、雄部材が係合膨出部１１５ａを雌部材１１０に挿入し胴部下端から突出した状態で抜け止め係止され、それによりパネル１１１がパネル１０１に対し連結されたり固定される。
【０００３】
以上の構造では、パネル１０１に対する雌部材１１０の係合力を強く保ち易いが、水等の液が雌部材１１０の筒状胴部からパネル１１１側（上面側）へ侵入する虞がある。その主な原因は、パネル１０１に対するフランジ部１１８の圧接力の不足、更には各パネルに装着された雌・雄部材１１０，１０９に相対的な位置ずれがあり、雄部材１０９が雌部材１１０に傾いた状態で挿入されると、鍔状部１１４がフランジ部１１８に対し部分的に浮いて隙間を形成し易いこと等にある。図６（ｂ）はその対策例を示している。この対策では液漏れ防止用パッキング１０５、１０８が用いられる。パッキング１０５はパネル１０１とフランジ部１１８との間、パッキング１０６はフランジ部１０５と鍔状部１１４との間の水密性をそれぞれ保つよう作用する。
【０００４】
特許文献１と２は、以上のパッキングを用いることなく水密性を向上する構造を開示している。ここで、特許文献１の構造は、図示しないが、図６に比較して、雄部材の鍔状部が、雌部材の胴部上開口より大きくかつ他方のパネルに設けられる取付孔の径より小さく、かつ、雄部材側軸部を雌部材側胴部から突出して抜け止め係止した状態で、胴部の開口上縁部に圧接する軸部位置に設けられている。これに対し、特許文献２の構造は、図６に比較して、雄部材の鍔状部が、雌部材のフランジ部全体を外側から覆う大きの傘状をなし、かつ、雄部材側軸部を雌部材側胴部から突出して抜け止め係止した状態で、他方のパネルに圧接する軸部位置に設けられている。
【０００５】
以上の特許文献１では、雄・雌部材が係合されてパネル同士が固定された状態で、雄部材側鍔状部が雌部材側胴部の開口部上縁に圧接されるため他方パネルとの間のシール性が得られる。特許文献２では、雄・雌部材が係合されると、雄部材側鍔状部が雌部材のフランジ部を外側から覆い、かつ他方のパネルに圧接しその圧接力に応じた強さでシールされるため他方パネルとの間のシール性が得られる。よって、各文献では、例えば各パネルに取り付けられた雌・雄部材が相対的にずれるときでも、シール性が損なわれ難いと共にがた付きのない安定した結合状態を維持できる。
【先行技術文献】
【特許文献】
【０００６】
【特許文献１】実公平７−４３４７１号公報
【特許文献２】実用新案登録第２５４４５６６号公報
【発明の概要】
【発明が解決しようとする課題】
【０００７】
特許文献１と２では、図６（ｂ）に比べてパッキングを廃止しても水密性をそれなりに向上できる。しかし、車両等の分野に用いられるクリップでは、例えば、一方パネルが車体側のインナーパネル、他方パネルがそのインナーパネルに固定される内張用のトリムボードのような場合において、部品を増やすことなく水密性を大幅に向上したいという要望がある。そこで、本発明の目的は、上記特許文献と同様にパッキングを用いることなく、しかもパッキングを使用する場合と同程度、或いはそれ以上の水密性を付与できるようにしたクリップを提供することにある。
【課題を解決するための手段】
【０００８】
上記目的を達成するため請求項１の発明は、図１〜図４の例を参照して特定したもので、一方パネルを他方パネルに連結したり固定する場合に用いられて、前記他方パネルに穿設された取付孔に挿入される筒状胴部及び前記胴部の上端周囲に設けられて前記他方パネルに当たって前記取付孔に対する胴部の挿入量を規制するシール兼用のフランジ部を有した雌部材と、前記一方パネルに設けられた係止部に係合可能な頭部を有した雄部材とからなり、前記雄部材の軸部を前記胴部内に挿入し胴部下端から突出して抜け止め係止した状態で、前記胴部の一部を拡開して前記雌部材の前記取付孔からの抜けを防ぐクリップにおいて、前記雄部材は、前記軸部の上側周囲に突出されて前記フランジ部を外側から覆う大きさのシール用の外吸盤部と、前記外吸盤部の内面に突出されて前記フランジ部より小さいシール用の内吸盤部とを備え、前記軸部が前記胴部に抜け止め係止された使用状態で、前記フランジ部及び前記外吸盤部が前記他方パネルにそれぞれ圧接し、かつ、前記内吸盤部が前記フランジ部に圧接してそのフランジ部を下向きに押圧することを特徴としている。
【０００９】
また、請求項２の発明は、図５の例を参照して特定したもので、上記「・・・おいて」までの要件に加え、前記雄部材は、前記軸部の上側周囲に突出されて前記フランジ部を外側から覆う大きさのシール用の外吸盤部と、前記外吸盤部の内面に突出されて前記フランジ部より大きいシール用の内吸盤部とを備え、前記外吸盤部及び前記内吸盤部並びに前記フランジ部は、前記軸部が前記胴部に抜け止め係止された使用状態で、前記取付孔を中心とした同芯円状に配置され、かつ、前記他方のパネルにそれぞれ圧接することを特徴としている。
【００１０】
以上の各発明では、一方パネルを他方パネルに連結したり固定するのに先立ち、雄部材がその頭部を一方パネルの係止部に係合することで取り付けら、また、雌部材がその胴部を他方パネルの取付孔にフランジ部で規制されるまで挿入することで仮止めされる。その後、雄部材はその軸部を雌部材の胴部内に挿入し、軸部先端を胴部下端より突出すると、雌部材は胴部の一部が拡開されて他方パネルの取付孔に係止されるとともに、雄・雌部材の係合が完了しパネル同志が連結される。これらは上記特許文献とほぼ同じである。また、各発明において、前記雄部材は、前記軸部が前記胴部に抜け止め係止された使用状態で、前記雌部材の胴部の開口上縁部に重ねられるシール用の径大部を有していることがより好ましい（請求項３）。
【発明の効果】
【００１１】
請求項１の発明では、図１から推察されるごとく、雄・雌部材を係合して一方パネルを他方パネルに連結したり固定した使用状態において、次の（ア）〜（ウ）によりパッキングを使用する場合と同程度又はそれ以上の水密性を付与でき高品質化を実現できる。
（ア）雌部材の胴部内からフランジ部の上面側へ侵入する液は、他方パネルに圧接している外吸盤部及び内吸盤部、つまり２箇所のシール構成により一方パネル側への液洩れを阻止できる。
（イ）他方パネルの取付孔等からフランジ部の下面側へ侵入する液は、他方パネルに圧接しているフランジ部及び外吸盤部、つまり２箇所のシール構成により一方パネル側への液漏れを阻止できる。
（ウ）雄部材側の内吸盤部が雌部材側フランジ部を下向きに押圧することで他方パネルに対するフランジ部の圧接力を増大し、それにより他方パネルの取付孔等からフランジ部の下面側へ侵入する液、つまり上記（イ）の液漏れ阻止作用を更に向上できる。
【００１２】
請求項２の発明では、図５から推察されるごとく、雄・雌部材を係合して一方パネルを他方パネルに連結したり固定した使用状態において、上記（ア）と（イ）に加えて次の（エ）により、パッキングを使用する場合と同程度又はそれ以上の水密性を付与でき、それにより高品質化を実現できる。
（エ）雄部材側の内吸盤部が外吸盤部及びフランジ部と同じく他方のパネルに圧接し、それにより他方パネルの取付孔等からフランジ部の下面側へ侵入する液については３箇所のシール構成となって、上記（イ）の液漏れ阻止作用を更に向上できる。
【００１３】
請求項３の発明では、請求項１と２において、図１及び図５の各（ｂ）から推察されるごとく、雄部材が雌部材側胴部の開口上縁部に重ねられるシール用の径大部を有しているため、雌部材の筒状胴部内からフランジ部の上面側へ侵入する液については雄部材の外吸盤部及び内吸盤部に加えて径大部の３箇所のシール構成となり、それによって上記した液漏れをより一層確実に阻止できる。
【図面の簡単な説明】
【００１４】
【図１】形態のクリップをパネルと共に示し、（ａ）は雄部材を雌部材に挿入している挿入途中状態を、（ｂ）は挿入完了つまりクリップの使用状態を示す断面図である。
【図２】上記クリップ単独で示し、（ａ）は正面図、（ｂ）は側面図である。
【図３】（ａ）は図２（ｂ）のＡ−Ａ線断面図、（ｂ）は雄部材を雌部材に挿入している挿入途中状態を示す断面図である。
【図４】上記雄部材を示し、（ａ）は上面図、（ｂ）は半断面図である。
【図５】（ａ）と（ｂ）は変形例のクリップを図１に対応して示す図である。
【図６】（ａ）と（ｂ）は従来クリップを異なる使用状態で示す説明図である。
【発明を実施するための形態】
【００１５】
以下、本発明の好ましい実施の形態を図面を参照しながら説明する。この説明では、図１〜図４に示したクリップ構造、使用例、図５に示した変形例の順に詳述する。
【００１６】
（クリップ構造）図１〜図４において、形態のクリップ３は、互いに着脱可能な関係になっている雄部材１及び雌部材２で構成されている。雄部材１及び雌部材２の材質は、ポリアセタール（ＰＯＭ）やポリプロピレン（ＰＰ）等の樹脂の射出成形品である。ここで、雄部材１は一方のパネル４（この例では自動車用ドアのドアインナーパネルを想定している）に取り付けられる。雌部材２は他方のパネル５（この例ではドアトリムボードを想定している）に取り付けられる。
【００１７】
一方のパネル４には、係止部４ａが設けられており、係止部４ａに対し雄部材１が後述するごとく頭部１０を介して取り付けられる。各係止部４ａは、係合用円形孔で、通常は前記係止部４ａの円形孔に連続して設けられた不図示の導入用ガイド孔又はそれに類似の孔部分を有している。これに対し、他方のパネル５には、取付孔５ａが設けられており、取付孔５ａに対し雌部材２が後述するごとく仮止めされた後、その雌部材２が対応する雄部材１と係合して対応部を拡開変形することで抜け止め固定される。
【００１８】
雄部材１は、図１（ａ）と図４に示されるごとく、パネル側係止部４ａに係合可能な頭部１０及び軸部１１と、軸部１１に設けられて先端（下端）に位置している係合膨出部１２及び係合膨出部１２より少し上側に位置している押圧膨出部１３と、軸部１１の上側周囲に設けられて雌部材側のフランジ部を外側から覆う大きさとなっているシール用の外吸盤部１７及び外吸盤部１７の内面に突出されたシール用の内吸盤部１８と、軸部１１のうち外吸盤部１７の根元付近に設けられて雌部材２の胴部開口上縁部に重ねられるシール用の径大部１４とを一体に備えている。
【００１９】
このうち、頭部１０は、係止部４ａの円形孔より径大でパネル４の上面に当接する規制板部１５、及び該規制板部１５の下面中央に下設された軸部１１のうち、係止部４ａの円形孔に係合する上軸部１１ａからなる。軸部１１は、上軸部１１ａと同径で外吸盤部１７より下側軸部分を形成している軸部１１ｂと、軸部１１ｂより径小で押圧膨出部１３との間を形成している上径小軸部１１ｃと、上径小軸部１１ｃとほぼ同径で押圧膨出部１３と係合膨出部１２との間を形成している下径小軸部１１ｄとからなる。
【００２０】
上軸部１１ａ及び軸部１１ｂの外径と、押圧膨出部１３及び係合膨出部１２の最大径とはほぼ同じ寸法に設定される。また、上軸部１１ａの外径は係止部４ａに対応して設定される。軸部１１ｂの外径は雌部材側胴部内径に対応して設定される。係合膨出部１２は、先端に向かって尖らせた略小円錐台をなしている。下径小軸部１１ｄの外径は、雌部材側胴部の一部を拡開変形する上で好適な寸法に設定される。押圧膨出部１３は、雌部材側胴部の拡開状態を保つ上で好適な寸法に設定される。
【００２１】
また、径大部１４は、外吸盤部１７の内側根元に位置し、かつ軸部１１ｂを中心とした略円錐台形となっていて、係合膨出部１２が雌部材側胴部を貫通して係止された使用状態で、雌部材２の胴部開口上縁部に重ねられて胴部開口を塞ぐよう係合する。外吸盤部１７は、上軸部１１ａと軸部１１ｂとの間に位置して水平部及び周囲の傾斜部からなる略傘状となっていて、大きさは後述する雌部材側フランジ部２１を余裕を持って覆う大きさである。内吸盤部１８は、外吸盤部１７の水平部内面に突出されて、外吸盤部１７を構成している周囲傾斜部とほぼ相似形となっている。内吸盤部１８の大きさは、外吸盤部１７及びフランジ部２１より小さく形成されている。なお、符号１６は、規制板部１５の中央から上軸部１１ａに向かって設けられている凹状部である。
【００２２】
これに対し、雌部材２は、図１（ａ）と図２に示されるごとく、長さ方向に貫通された筒状の胴部２０と、胴部２０の上端周囲に形成されたフランジ部２１と、胴部２０に対向して設けられている対の弾性片部２２と、胴部先端部２３に縦溝形に設けられている対のスリット２４とを一体に備えている。
【００２３】
胴部２０の筒内２５は、開口部上側から長さの途中までを係合膨出部１２をほぼ抵抗なく挿通できる大きさの内径に形成され、そこから先端部２３の端面までを徐々に縮小させて係合膨出部１２の直径寸法より小さくなるよう形成されている。換言すると、胴部２０の先端部２３は、パネル５の取付孔５ａに挿入し易くなるよう先細りに形成されて、雄部材側軸部１１が挿入されてくると、各スリット２４の存在により弾性変位して係合膨出部１２を胴部筒内２５から外へ突出可能となっている。また、胴部２０の開口上縁部２７は、上から下に行く従って次第に径小となるテーパーに形成されている。開口上縁部２７には、雄部材側軸部１１が胴部２０に抜け止め係止された使用状態で、雄部材側径大部１４が胴部開口を塞ぐよう係合可能となっている。
【００２４】
フランジ部２１は、胴部上端の全周から下斜めに突出した略鍔状であり、最大径が略傘状の外吸盤部１７より小さく、かつ、略傘状の内吸盤部１８よりも大きく設定されている。各片部２２は、胴部２０に設けられた逆凹状のスリット２６で区画されて、下端側を支点として揺動可能となっている。各片部２２には、取付孔５ａの孔縁に係合する係止部２２ａが上端幅方向に段差状に設けられている。
【００２５】
（使用例）次に、以上の雄・雌部材１，２からなるクリップ３を用いて一方パネル４を他方パネル５に連結したり固定する操作要領及び作動特徴を説明する。操作要領としては、まず、パネル４に対し雄部材１が取り付けられ、パネル５に対し雌部材２が取り付けられる。その後、両パネル４，５は、雄部材１と雌部材２との係合操作により結合一体化される。
【００２６】
雄部材１は、雌部材２への係合に先立って、予めパネル４に取り付けられる。この操作では、例えば、雄部材１がパネル４に対し頭部１０を上記した導入用ガイド孔又はそれに類似する孔部分に挿通した状態で水平移動して係止部４ａに上軸部１１ａを係合する。但し、この取付構造は、図６の構造又は特許文献１や２に開示されているような構造でも差し支えない。
【００２７】
また、雌部材２は、胴部２０の外径に適合させて穿設したパネル５の取付孔５ａに先端部２３から挿入し、フランジ部２１がパネル５の一面に当接して挿入規制されるまで押し込まれることで装着される。この挿入過程において、胴部２０の外周面から少し張り出している片部２２は、自身の弾性作用で一旦内側に撓んだ後、取付孔５ａを通過した時点で復元して、係止部２２ａが取付孔５ａの孔縁に係合して仮止めされる。
【００２８】
次に、パネル５に装着された雌部材２に対して、パネル４に装着された雄部材１の軸部側係合膨出部１２を胴部２０の開口上側に臨ませた後、係合膨出部１２が胴部の筒内２５を通って胴部下端から突き抜けるまで押し込むと、雄部材１が雌部材２に係合し、パネル５がパネル４に固定される。この過程では、係合膨出部１２が胴部の筒内２５の途中まで挿入されると、内径が狭まった内壁を押し、スリット２４で弾性変形し易くされた胴部先端部２３を拡開させながら胴部下端より突出される。この構造では、図１（ｂ）のごとく係合膨出部１２が胴部２０の下端より突出したとき、押圧膨出部１３が胴部の対応内面に圧接し胴部２０の拡開状態を維持するようになっている。この状態では、外吸盤部１１７がパネル５に圧接され、内吸盤部１８がフランジ部２１に圧接した状態でフランジ部２１を下向きに押している。
【００２９】
以上の構造では、パネル４がパネル５に対し雄・雌部材１，２の係合を介して固定されたクリップ３の使用状態において、以下の構成により水密性の点で優れている。
（ａ）雌部材２の胴部２０内からフランジ部２１の上面側へ侵入する液は、フランジ部２１に圧接している傘状の内吸盤部１８による水密作用と、パネル５に圧接している傘状の外吸盤部１７による水密作用、つまり２箇所のシール構成によりパネル４側への液洩れを阻止できる。
（ｂ）パネル５の取付孔５ａ等からフランジ部２１の下面側へ侵入する液は、パネル５に圧接している下向き傾斜の鍔状フランジ部２１の水密作用と、パネル５に圧接している傘状の外吸盤部１７による水密作用、つまり２箇所のシール構成により一方パネル側への液漏れを阻止できる。
【００３０】
（ｃ）雄部材側の内吸盤部１８が雌部材側フランジ部２１を下向きに押圧しているため、パネル５に対するフランジ部２１の圧接力が増大し、それによりパネル５の取付孔５ａからフランジ部２１の下面側へ侵入する液、つまり上記（ｂ）の液漏れ阻止作用を更に向上できる。
（ｄ）雄部材１の径大部１４が雌部材側胴部２０の開口上縁部２７に重ねられて開口を閉じているため、雌部材２の筒状胴部内からフランジ部２１の上面側へ侵入する液については上記（ａ）に加え、径大部１４による水密作用も得られて、合計３箇所のシール構成となり、それによって上記した液漏れをより一層確実に阻止できる。
【００３１】
（変形例）図５の変形例は、上記形態の雌部材側フランジ部と、雄部材側外吸盤部及び内吸盤部の形状や大きさを変更したものである。図５において、図１〜図４と同じ部材及び部位に同一符号を付し、形状変更した部位のみ符号を変えている。この説明では、変更点及びそれによって得られる利点について明らかにする。
【００３２】
図５の変形例は上記形態に比べて次の点が変更されている。第１に、シール兼用のフランジ部２１Ａは、胴部２０の上端全周から下斜めに突出した略鍔状となっている点で同じであるが、略傘状の内吸盤部１８と当たらない大きさ、つまり内吸盤部１８より小さく形成されている。第２に、シール用の外吸盤部１７Ａは、水平部及び周囲の傾斜部からなる略傘状となっている点で同であるが、特に水平部が一回り大きく形成されている。第３に、シール用の内吸盤部１８Ａは、外吸盤部１７の水平部内面から略傘状に突出されている点で同じであるが、フランジ部２１より大きくなっていて、雄部材側軸部の係合膨出部１２が雌部材側胴部２０の先端部２３から突出されて抜け止め係止された使用状態で、フランジ部２１Ａではなくパネル５に圧接するように形成されている。
【００３３】
従って、以上の変形例において、外吸盤部１７Ａ及び内吸盤部１８Ａ並びにフランジ部２１Ａは、雄部材側軸部の係合膨出部１２が雌部材側胴部２０の先端部２３から突出して抜け止め係止された使用状態で、取付孔５ａを中心とした同芯円状、つまりフランジ部２１Ａ、内吸盤部１８Ａ、外吸盤部１７Ａの順で取付孔５ａから離れるよう配置されると共に、パネル５にそれぞれ圧接するようになっている。
【００３４】
以上の構造では、パネル４がパネル５に対し雄・雌部材１，２の係合を介して固定されたクリップ３の使用状態において、特に水密性の点が以下の構成により優れている。
（ａ1）雌部材の胴部２０内からフランジ部２１Ａの上面側へ侵入する液は、パネル５に圧接している傘状の内吸盤部１８Ａによる水密作用と、同じくパネル５に圧接している傘状の外吸盤部１７Ａによる水密作用、つまり２箇所のシール構成によりパネル４側への液洩れを阻止できる。
【００３５】
（ｂ1）パネル５の取付孔５ａからフランジ部２１Ａの下面側へ侵入する液は、パネル５にそれぞれ圧接している下向き傾斜の鍔状フランジ部２１Ａの水密作用と、傘状の内吸盤部１８Ａによる水密作用と、傘状の外吸盤部１７Ａによる水密作用、つまり３箇所のシール構成により一方パネル側への液漏れを阻止できる。
（ｄ1）雄部材１の径大部１４が雌部材側胴部の開口上縁部２７に重ねられて開口を閉じているため、雌部材２の筒状胴部内からフランジ部２１Ａの上面側へ侵入する液については上記（ａ１）に加え、径大部１４による水密作用も得られて、合計３箇所のシール構成となり、それによって上記した液漏れをより一層確実に阻止できる。
【００３６】
なお、本発明は、以上の形態及び変形例に制約されるものではなく、請求項で特定される技術要素を備えておればよく、細部についてはこれをベースにして展開可能なものである。例えば、各パネルとしては板状のもの、一部が板状となっているものを含む。
【符号の説明】
【００３７】
１…雄部材（１０は頭部、１１は軸部、１２は係合膨出部）
２…雌部材（２０は胴部、２２は片部、２２ａは係止部）
３…クリップ
４…パネル（一方パネル、４ａは係止部）
５…パネル（他方パネル、５ａは取付孔）
１４…径大部
１７，１７Ａ…外吸盤部
１８，１８Ａ…内吸盤部
２１，２１Ａ…フランジ部
２７…開口上縁部
【図１】
2011089538.tif 000003
【図２】
2011089538.tif 000004
【図３】
2011089538.tif 000005
【図４】
2011089538.tif 000006
【図５】
2011089538.tif 000007
【図６】
2011089538.tif 000008